(57)【特許請求の範囲】
【請求項１】
回転盤駆動機構を具えた撮影棚において、
被写体を載置するための透明円盤と、
回転盤駆動ユニットであって、
複数のタイミングプーリと、
これらタイミングプーリのいずれか一つと接続されたモータと、
タイミングベルトであって、これらタイミングプーリに掛けられ、並びにこれらタイミングプーリのうち少なくとも二つが該タイミングベルトを介して駆動される、上記タイミングベルトとを包含し、
これらタイミングプーリのうち少なくとも二つの上縁を囲むようにゴムリングが接合され、これらタイミングプーリの少なくとも二つの下縁に該タイミングベルトが嵌合されると共に、これらゴムリングは該透明円盤の一側面に接触し、該モータが該モータに接続された該タイミングプーリを適時に駆動して該タイミングベルトを介して該透明円盤の該側面に接触するこれらゴムリングを具えたタイミングプーリを回転させ、該透明円盤を起動或いは制動停止させる、上記回転盤駆動ユニットと、
回転盤支持ユニットであって、該回転盤駆動ユニットと該回転盤支持ユニットが共同で該透明円盤を支持し、該回転盤支持ユニットは複数の遊び車を具え、並びにこれら遊び車と一部のこれらタイミングプーリは、異なる方向より該透明円盤の該側面に接触する、上記回転盤支持ユニットと、
該透明円盤の下方に設置された底部ランプセットと、
を包含したことを特徴とする、回転盤駆動機構を具えた撮影棚。
【請求項２】
請求項１記載の回転盤駆動機構を具えた撮影棚において、該透明円盤は、透明ガラス円盤、透明プラスチック円盤、及び半透明プラスチック円盤の少なくともいずれか一つで構成されたことを特徴とする、回転盤駆動機構を具えた撮影棚。
【請求項３】
請求項１記載の回転盤駆動機構を具えた撮影棚において、層板状プラットフォームを更に包含し、該層板状プラットフォームは、
曲面半透明プラスチック板であって、水平部分、垂直部分、該水平部分と該垂直部分を連接する曲面を具え、該水平部分は該底部ランプセット及び該透明円盤の間に設置され、並びに該曲面と該垂直部分は、該水平部分より、該底部ランプセットより離れる方向に延伸された、上記曲面半透明プラスチック板と、
該水平部分と該底部ランプセットの間に設置されると共に、該水平部分と重畳して層板状をなす透明ガラス板或いは透明プラスチック板と、
を包含したことを特徴とする、回転盤駆動機構を具えた撮影棚。
【請求項４】
請求項３記載の回転盤駆動機構を具えた撮影棚において、背部ランプセットを更に包含し、該背部ランプセットは該曲面において該垂直部分の近隣に設置され、並びに該底部ランプセットと、該曲面半透明プラスチック板の同一側に設置されることを特徴とする、回転盤駆動機構を具えた撮影棚。
【請求項５】
請求項１記載の回転盤駆動機構を具えた撮影棚において、クローズ式撮影棚或いはオープン式撮影棚とされたことを特徴とする、回転盤駆動機構を具えた撮影棚。
【請求項６】
請求項１記載の回転盤駆動機構を具えた撮影棚において、該回転盤駆動ユニットはカートリッジ式とされて単独設置されることを特徴とする、回転盤駆動機構を具えた撮影棚。
【請求項７】
請求項１記載の回転盤駆動機構を具えた撮影棚において、該回転盤支持ユニットは、カートリッジ式とされ単独設置されることを特徴とする、回転盤駆動機構を具えた撮影棚。
【請求項８】
回転盤駆動機構を具えた撮影棚において、
被写体を載置するための透明大歯車と、
回転盤駆動ユニットであって、
該透明大歯車に噛み合う小歯車と、
該小歯車に接続されると共に、該小歯車を駆動して回転させるのに適し、該透明大歯車を起動或いは制動停止させるモータと、
を具えた上記回転盤駆動ユニットと、
該透明大歯車の下方に設置された底部ランプセットと、
層板状プラットフォームであって、該層板状プラットフォームは、
曲面半透明プラスチック板であって、水平部分、垂直部分、該水平部分と該垂直部分を連接する曲面を具え、該水平部分は該底部ランプセット及び該透明大歯車の間に設置され、並びに該曲面と該垂直部分は、該水平部分より、該底部ランプセットより離れる方向に延伸された、上記曲面半透明プラスチック板と、
該水平部分と該底部ランプセットの間に設置されると共に、該水平部分と重畳して層板状をなす透明ガラス板或いは透明プラスチック板と、
を包含する、上記層板状プラットフォームと、
を包含したことを特徴とする、回転盤駆動機構を具えた撮影棚。
【請求項９】
請求項８記載の回転盤駆動機構を具えた撮影棚において、該透明大歯車は、透明ガラス大歯車、透明プラスチック大歯車、或いは半透明プラスチック大歯車、或いは透明円盤と該透明円盤外周に嵌合された環状透明プラスチック大歯車で構成されることを特徴とする、回転盤駆動機構を具えた撮影棚。
【請求項１０】
請求項９記載の回転盤駆動機構を具えた撮影棚において、該透明大歯車の上が半透明プラスチック円盤で被覆されたことを特徴とする、回転盤駆動機構を具えた撮影棚。
【請求項１１】
請求項８記載の回転盤駆動機構を具えた撮影棚において、背部ランプセットを更に包含し、該背部ランプセットは該曲面において該垂直部分の近隣に設置され、並びに該底部ランプセットと、該曲面半透明プラスチック板の同一側に設置されることを特徴とする、回転盤駆動機構を具えた撮影棚。
【発明の詳細な説明】
【技術分野】
【０００１】
本発明は一種の撮影棚(photography studio)に係り、且つ特に回転盤駆動機構(turntable driving mechanism)を具えた撮影棚に関する。
【背景技術】
【０００２】
陰影のない(Shadow Free)の平面２Ｄ映像の多くは、比較的厚い（例えば１ｃｍ以上）の半透明プラスチックプラットフォームの曲面の下方より光線を投射して撮影され、これにより、比較的重い被写体を置いて影無し撮影映像を形成できる。ただし、比較的厚い半透明プラスチックプラットフォーム（図１のとおり）の成形は容易でなく、且つ透光率が低く、エネルギー資源を浪費し、その発生する影無しの効果も良好ではない。
【０００３】
影無しの立体３Ｄ映像を完成するには、図２に示される方式を採用し、モータ１に回転軸２を接続し、直接透明或いは半透明の円盤３を駆動し回転させるか制動停止させる。同時に、円盤３の底をローラ４で支持し、並びに円盤３を曲面半透明プラスチック板５内に嵌め込む。しかし、曲面半透明プラスチック板５の平坦性は不良で、且つ底部の回転軸２及びローラ４が見え、影無しの効果は良好でない。
【発明の概要】
【発明が解決しようとする課題】
【０００４】
本発明の目的は、一種の撮影棚或いは光箱(Light Box)を提供することにあり、それは影無しの平面２Ｄ或いは立体３Ｄ映像を撮影でき、全白(Pure White)の背景として背景除去(Background Removal)が不要で、特にその立体３Ｄ映像が、大量の平面２Ｄ映像を合成して得られ、該撮影棚を立体３Ｄ映像の製作に応用する時に、大量の背景除去の時間を節約できるものとする。
【０００５】
本発明のもう一つの目的は、上述の撮影棚或いは光箱に透明ガラス円盤、透明プラスチック円盤或いは半透明プラスチック円盤を組み合わせて影無しの立体３Ｄ映像を撮影する時、回転盤駆動機構の、円盤の始動と制動時に発生するスリップ現象を減らすことができ、これにより各撮影角度の位置決めが更に正確に行なえ、並びに合成した立体３Ｄ映像がスムースであるものとする。
【課題を解決するための手段】
【０００６】
上述の目的を達成するため、本発明は平面２Ｄ映像の撮影に使用される一種の層板状プラットフォームを提供する。この層板状プラットフォームは、比較的厚い（例えば５ｍｍ）の透明ガラス板、或いは透明プラスチック板を基板とし、並びに該基板上に人工湾曲するか或いはプラスチック射出成形した比較的薄い（例えば２ｍｍ）の曲面半透明プラスチック板を結合させて、高い透光性を有する層板状プラットフォームとしたものである。厚い透明ガラス板或いは透明プラスチック板上を、曲面半透明プラスチック板で被覆して背景となし、撮影完成した映像に、透明ガラス板或いは透明プラスチック板の底部の物品が現出するのを防止し、厚い透明ガラス板或いは透明プラスチック板により比較的重い被写体を支持できる。
【０００７】
さらに、上述の目的を達成するため、本発明は一種の回転盤駆動機構を提供し、立体３Ｄ映像の撮影に供する。このような回転盤駆動機構は、動力源（例えばモータ）で、タイミングベルト或いは歯車を介して、二つ以上のタイミングプーリセット或いは歯車セットを駆動して回転させる。タイミングプーリセット或いは歯車セットは、多点（２点以上）で透明ガラス円盤或いは透明プラスチック円盤の側面に接触し、これにより、同期に円盤の回転を起動するか或いは停止させ、これにより、単点駆動或いは単点制動時の厳重なスリップを減らすことができる。
【発明の効果】
【０００８】
本発明の提供する層板状プラットフォームは平面２Ｄ映像撮影時、その比較的厚い透明ガラス板或いは透明プラスチック板が比較的重い被写体を置くのに供され、並びに比較的高い底部光透過率を有する。且つ、透明ガラス板或いは透明プラスチック板上を被覆する比較的薄い曲面半透明プラスチック板は、背景として使用可能で、これにより透明ガラス板或いは透明プラスチック板下方のランプ等の物品が映像内に映り込むのを防止する。これにより、本発明の提供する層板状プラットフォームを利用して平面２Ｄ映像を撮影する時、エネルギー資源を節約できるのみならず、効果が良好な影無し映像を発生できる。且つ、ただ被写体周囲の適宜照明を組み合わせるだけで、全白、影無し、背景無しの映像を発生できる。反対に、もし比較的薄い曲面半透明プラスチック板を単独使用したなら、比較的重い被写体をその上に置くことはできない。
【０００９】
このほか、層板状プラットフォームの上方に、透明ガラス円盤或いは透明プラスチック円盤或いは半透明プラスチック円盤を置き、並びに２点以上のタイミングプーリで前述の円盤の側面を同期して駆動し、該円盤を起動或いは停止させることができる。これまで立体３Ｄ映像を撮影するときは、異なる撮影角度で撮影した大量の平面２Ｄ映像を合成して立体３Ｄ映像ファイルとしていたが、それには大量の背景除去時間を浪費した。しかし、本発明の提供する回転盤駆動機構を利用することで、有効に該回転盤回転時のスリップ現象を減らすことができる。これにより、この回転盤駆動機構を上述の層板状プラットフォームに組み合わせて立体３Ｄ映像の影無し映像撮影を行うと、比較的正確な撮影角度を取得でき、並びに大量の背景除去時間を節約できる。
【図面の簡単な説明】
【００１０】
【図１】周知の技術中の一種の、厚い曲面半透明プラスチック板をプラットフォームとしたものの側面図である。
【図２】周知の技術中の一種の、回転盤を直接半透明プラスチック板曲面に嵌め込んだものの表示図である。
【図３】本発明の実施例の回転盤駆動機構を具えた撮影棚の側面図である。
【図４】本発明の実施例の回転盤駆動機構を具えた撮影棚の平面図である。
【図５】本発明の実施例の回転盤駆動機構を具えた撮影棚のガラス円盤および回転盤駆動機構の接触点断面図である。
【図６】本発明の実施例の回転盤駆動機構を具えた撮影棚の正面図である。
【図７】本発明の別の実施例の小歯車で透明大歯車を駆動して駆動機構となす撮影棚の平面図である。
【図８】本発明のまた別の実施例の透明円盤に環状透明プラスチック大歯車を嵌合し駆動機構とした撮影棚の平面図である。
【発明を実施するための形態】
【００１１】
本発明の技術内容、構造特徴、達成する目的を詳細に説明するため、以下に実施例を挙げ並びに図面を組み合わせて説明する。
【００１２】
図３は本発明の実施例の回転盤駆動機構を具えた撮影棚の側面図であり、本発明を構成する主要構造を説明するものである。本発明は、アルミフレーム６〜２１で本撮影棚の主要な支持フレームが構成される。透明ガラス板２２が側面より滑り込ませる方式で、アルミフレーム２３内に嵌め込まれ、並びにアルミフレーム２４及び１５で前後が固定される。且つ、比較的薄い半透明プラスチック板２５が上から下に、ガイドフレーム２６、ガイドブロック２７及びアルミフレーム２３内に挿入されて、曲面を形成し、その水平部分は、透明ガラス板２２の上方の部分を被覆する。且つ、さらにＬ型固定板２８及びアルミフレーム２４により湾曲した半透明プラスチック板２５の前後が固定される。このほか、ランプホルダ固定板２９、３０及び３１のそれぞれの上方に、ランプホルダ及びランプ（図示せず）が設けられている。これにより、被写体が半透明プラスチック板２５上に置かれて平面２Ｄ映像が撮影される時、影無しの効果を発生できる。
【００１３】
言い換えると、この実施例では、層板状のプラットフォームが、曲面半透明プラスチック板２５と透明ガラス板２２（透明プラスチック板を代わりに使用可能である）の組合せにより構成される。図３に示されるように、曲面半透明プラスチック板２５は水平部分、垂直部分、及び、水平部分と垂直部分を連接する曲面を有する。水平部分は、ランプホルダ固定板２９及びその上に設置されたランプホルダ及びランプで構成される底部ランプセットの上方に設置され、並びに透明ガラス板２２は水平部分と底部ランプセットの間に設置され、並びに水平部分と重なり合って層板状を成す。このほか、曲面と垂直部分は、水平部分より底部ランプセットより離れた方向に向けて延伸され、すなわち、上向きに延伸される。このほか、ランプホルダ固定板３０、３１は、その上に設置されたランプフレームとランプで背部ランプセットを構成し、並びに該背部ランプセットは、底部ランプセットと曲面半透明プラスチック板２５の同一側に設置され、すなわち、曲面の右下方と垂直部分の右側に設置される。
【００１４】
このほか、透明円盤が、曲面半透明プラスチック板２５の水平部分上方に設置されて、立体３Ｄ映像撮影時に被写体を置くのに使用される。この実施例では、透明円盤は、透明ガラス円盤３２を例として説明しているが、その他の実施例では、透明円盤は、透明プラスチック円盤、半透明プラスチック円盤、半透明プラスチック円盤に被覆された透明ガラス円盤、或いは半透明プラスチック円盤に被覆された透明プラスチック円盤とされ得る。底部ランプセットがオンされる時、底部ランプセットの提供する光線は、透明ガラス板２２及び半透明プラスチック板２５を通る。これにより、透明ガラス円盤３２上に被写体が置かれる時、影無しの立体３Ｄ映像を発生できる。
【００１５】
本発明のカラム３３、３４、３５及び３６内にはいずれもランプが設けられて、撮影時の照明に供される。本撮影棚の上方には上蓋３７が設けられ、並びにネジ３８、３９、４０及び４１で上蓋が閉じられる。且つ、各カラムに光拡散板４２、４３等が設置されている。カバー板４４、４５、４６が本撮影棚の上方及び側面の各アルミフレームで形成された格子を閉じる。このほか、キャスター５４、５５、５６、５７が全体の撮影棚を支持し、並びに移動時の使用に供される。
【００１６】
図４は本発明の実施例による回転盤駆動機構を具えた撮影棚の平面図であり、本発明を構成する主要構造を説明する。それは、アルミフレーム６、１２、１４、１５、１７及び４８〜５３で本撮影棚の主要サポートフレームが構成されている。曲面半透明プラスチック板２５がガイドフレーム２６、４７の間に挿入される。透明ガラス円盤３２が上から下に回転盤駆動ユニット５８及び回転盤支持ユニット５９の間に置かれる。回転盤駆動ユニット５８のシャーシ６０は本撮影棚の右側アルミフレーム上に固定されると共に、固定ピン６１、６２がアルミフレーム内に挿入され、並びにネジ６３、６４がアルミフレーム内にねじ込まれてシャーシ６０が固定される。シャーシ６０上にはまた、ボールローラ６５、６６が設けられて、透明ガラス円盤３２を支持するのに供される。シャーシ６０上に固定板６７がネジ止めされ、並びに支柱６８、６９、７０及び７１が固定板６７を支持し、並びに固定板６７上にモータ７２、減速機７３、歯車箱７４が設置され、並びに連結器７５で互いに連接される。モータ７２の出力が、減速機７３、連結器７５及び歯車箱７４を介して歯車箱７４の出力軸に設置されたタイミングプーリ７６を駆動し回転させる。シャーシ６０の、透明ガラス円盤３２に近い部分にも、二つのタイミングプーリ７７、７８が設けられ、固定板６７上に別に二つのタイミングプーリ７９、８０の上縁が設置され、さらに、タイミングベルト８１で、タイミングプーリ７６、７７、７８、７９及び８０が接続される。このほか、テンション調整器８２がタイミングプーリ８０の水平位置を調整することでタイミングベルト８１の張り具合を調整するのに供される。これにより、タイミングプーリ７６が回転することで、タイミングプーリ７７、７８、７９及び８０が駆動されて同期して回転し、並びにタイミングプーリ７７及び７８の上縁が直接透明ガラス円盤３２の側面に接触し、これにより透明ガラス円盤３２を起動するか或いは制動し停止させる。また、歯車箱７４上の別の出力軸にラスタ(Raster)８３が設置され、透明ガラス円盤３２の回転角度の制御に供される。そのうち、この回転盤駆動ユニット５８は例えばカートリッジ式で単独設置されて、取付け取り外しに便利とされる。
【００１７】
回転盤支持ユニット５９のシャーシ８４上にも、ボールローラ８５、８６が設置されて、回転盤駆動ユニット５８のボールローラ６５、６６と協働で透明ガラス円盤３２を支持する。回転盤支持ユニット５９上には無動力の遊び車８７、８８が設けられ、タイミングプーリ７７、７８の異なる方向にあって、上縁で直接透明ガラス円盤３２に接触する。また、タイミングプーリ７７、７８と遊び車８７、８８の上縁はいずれも加工され並びにゴムリングが嵌められている。このほか、アルミフレーム上にさらにＬ型固定板９３が設置され、並びにシャーシ８４上にさらに、ストッパ９４が設置されている。長細状のガイドスロット８９、９０上に位置するネジ９１、９２をゆるめ、さらにＬ型固定板９３上のネジ９５を回せば、全体の回転盤支持ユニット５９を押動して透明ガラス円盤３２に接近させることができ、こうして遊び車８７、８８と透明ガラス円盤の接触の圧迫程度を調整できる。そのうち、この回転盤支持ユニット５９は例えば、カートリッジ形式で単独設置される。ここでいわゆるカートリッジ形式とは、回転盤支持ユニット５９及びシャーシ８４のクイック着脱を行うのに十分であるものを指す。
【００１８】
このほか、ランプホルダ固定板３１上に、ランプホルダ９６、９７が設置され、並びにランプホルダ９６、９７間に多くのランプ９８等が設置され、且つ各ランプにコネクタ９９、１００が設けられて、電源入力に供され、こうして前述の背部ランプセットが構成されている。且つ、本撮影棚の側面の二つのカラム３３及び３４間に、側板１０１が嵌め込まれている。このほか、回転盤駆動ユニット５８及び回転盤支持ユニット５９はいずれも上蓋が加えられ、カートリッジ形式で単独設置されて、随時着脱できる。
【００１９】
透明ガラス円盤３２、回転盤駆動ユニット５８、背部ランプセット及び底部ランプセットで構成する撮影棚は、オープン式撮影棚とされる。このほか、透明ガラス円盤３２、回転盤駆動ユニット５８、背部ランプセット、底部ランプセット、カラム３３、３４、３５及び３６及び、カラム間に介装される側板１０１等で構成される撮影棚は、クローズ式撮影棚とされる。
【００２０】
図５は本発明の実施例の回転盤駆動機構を具えた撮影棚のガラス円盤及び回転盤駆動機構の接触点断面図である。この実施例中、ボールローラ６６は、透明ガラス円盤３２の辺縁底部を支持する。且つ、シャーシ６０に円孔１０２が設けられ、並びにタイミングプーリ７８内に軸受１０３及び１０８が挿入され、並びに軸受１０３及び１０８の相対する両端は中心軸１０４及びエンドキャップ１０５で閉じられている。その後、さらにそれぞれ底部及び上方より内六角ネジ１０６と皿頭ネジ１０７がねじ込まれ、全体のタイミングプーリ７８がシャーシ６０に固定される。このほか、タイミングプーリ７８の上方周囲がゴムリング１０９で被覆され、タイミングプーリ７８の上縁と透明ガラス円盤３２の側面の摩擦力が増され、これにより、透明ガラス円盤３２の起動及び制動停止時のスリップ現象が減らされる。このほか、タイミングプーリ７７の細部構造とタイミングプーリ７８は類似するため、重複した説明は行わない。
【００２１】
図６は本発明の実施例の回転盤駆動機構を具えた撮影棚の正面図であり、本発明を構成する主要構造を説明するものである。それは、アルミフレーム１３、１４、１７、１９、２１、４８、４９、５２及び１１４〜１１９で本撮影棚の主要サポートフレームが構成される。この実施例では、ランプホルダ固定板３１上に、ランプホルダ９６、９７が設置され、ランプホルダ９６、９７上にランプ９８、１１１、１１２、１１３が設置されて、背景照明用の前述の背部ランプセットが構成されている。このほか、ランプホルダ固定板２９にランプホルダ１２０、１２１が設置され、並びにそれにランプ１２２等の多くのランプが設置され、底部照明用の前述の底部ランプセットが構成されている。且つ、ランプ１２２等の両端にコネクタ１２３、１２４等が設けられて電源入力に供される。このほか、本撮影棚の四つの角部にカラム３３、３４、３５、及び３６が設けられ、その上に上蓋３７が設けられ、並びにネジ３８、３９、４０及び４１で上蓋が四つのカラム上に固定され、またネジ１２６でカラム３３がブラケット１２５上に固定されている。透明ガラス板２２及び半透明プラスチック板２５がアルミフレーム２３及び１１０の間に嵌め込まれ、その上に透明ガラス円盤３２が置かれている。このほか、本撮影棚の下方の四つの角部にそれぞれキャスター５４、５５、５６、５７が設けられて、本撮影棚を載置し並びに移動させるのに供される。
【００２２】
図７は本発明の別の実施例の、小歯車で透明大歯車を駆動して駆動機構とする撮影棚の平面図である。この実施例の詳細構造はほぼ前の実施例と類似する。両者の異なるところは、この実施例は透明大歯車１３５が前の実施例中の透明ガラス円盤３２の代わりに使用され、並びに小歯車１３７、１３８、１３９が前の実施例中のタイミングプーリ７６、７７、７８、７９、８０及び遊び車８７、８８の代わりに使用されていることであり、これにより、タイミングベルト８１は使用する必要がない。
【００２３】
透明大歯車１３５は透明ガラス大歯車、透明プラスチック大歯車、或いは半透明プラスチック大歯車、或いは透明円盤と該透明円盤外周に嵌合された環状透明プラスチック大歯車で構成される。そのうち、該透明大歯車１３５上は半透明プラスチック円盤で被覆可能である。
【００２４】
簡単に述べると、この実施例中、モータ１４０は減速機１４１、連結器１４２と歯車箱１４３を介して歯車箱１４３の出力軸に設置された小歯車１３７を駆動し回転させ、これにより、透明大歯車１３５を駆動し回転させ、それにより透明大歯車１３５を起動するか或いは制動し停止させる。このほか、小歯車１３８、１３９は、小歯車１３９とは異なる方向より透明大歯車１３５と噛み合い、これにより、透明大歯車１３５が回転する時に更に安定させ、スリップを減らすことができる。また、透明大歯車１３５の下方に底部ランプセットが設置されている。
【００２５】
このほか、この実施例は更に層板状プラットフォームを包含する。該層板状プラットフォームは曲面半透明プラスチック板および透明ガラス板或いは透明プラスチック板を包含する。曲面半透明プラスチック板は水平部分、垂直部分、および該水平部分と該垂直部分を連接する曲面を具えている。そのうち、水平部分は底部ランプセットと透明大歯車１３５の間に設置され、並びに曲面と垂直部分は、水平部分より底部ランプセットから離れる方向に延伸されている。さらに、透明ガラス板或いは透明プラスチック板は水平部分と底部ランプセットの間に設置され、並びに水平部分と重畳し層板状を成している。このほか、この実施例では、さらに背部ランプセットが設置され、そのうち該背部ランプセットは曲面において垂直部分の近隣に設置され、並びに底部ランプセットと、曲面半透明プラスチック板の同一側に設置される。
【００２６】
図８は本発明のまた一つの実施例および透明円盤に環状透明大歯車を嵌合して駆動機構となした撮影棚の平面図である。この実施例中の詳細構造はほぼ前の実施例と類似する。簡単に述べると、ガラス材質は、直接歯車を形成するのは難しいため、ガラス材質で製造した透明円盤１４５の外周にプラスチック材質で製造した環状透明プラスチック大歯車１４６を嵌合し、前の実施例中の透明大歯車１３５の代わりとし、これにより、透明大歯車の全体の製造コストを減らしている。ただし、この実施例中、透明円盤１４５も、透明ガラス円盤、透明プラスチック円盤、および半透明プラスチック円盤の少なくともそのうちの一つにより構成可能で、且つ環状透明プラスチック大歯車１４６は、環状透明ガラス大歯車或いは環状半透明プラスチック大歯車とすることもできる。このほか、この実施例の機能および長所と前の実施例はほぼ類似するため、重複した説明は行わない。
【００２７】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２８】
１  モータ
２  回転軸
３  円盤
４  ローラ
５  曲面半透明プラスチック板
６〜２１、２３、２４、４８〜５３、１１０、１１４〜１１９  アルミフレーム
２２  透明ガラス板
２５  半透明プラスチック板
２６、４７  ガイドフレーム
２７  ガイドブロック
２８、９３  Ｌ型固定板
２９、３０、３１  ランプホルダ固定板
３２  透明ガラス円盤
３３、３４、３５、３６  カラム
３７  上蓋
３８、３９、４０、４１、６３、６４、９１、９２、９５、１２６  ネジ
４２、４３  光拡散板
４４、４５、４６  カバー板
５４、５５、５６、５７  キャスター
５８  回転盤駆動ユニット
５９  回転盤支持ユニット
６０、８４  シャーシ
６１、６２  固定ピン
６５、６６、８５、８６  ボールローラ
６７  固定板
６８、６９、７０、７１  支柱
７２、１４０  モータ
７３、１４１  減速機
７４、１４３  歯車箱
７５、１４２  連結器
７６、７７、７８、７９、８０  タイミングプーリ
８１  タイミングベルト
８２  テンション調整器
８３  ラスタ
８７、８８  遊び車
８９、９０  ガイドスロット
９４  ストッパ
９６、９７、１２０、１２１  ランプホルダ
９８、１１１、１１２、１１３、１２２  ランプ
９９、１００、１２３、１２４  コネクタ
１０１  側板
１０２  円孔
１０３、１０８  軸受
１０４  中心軸
１０５  エンドキャップ
１０６  内六角ネジ
１０７  皿頭ネジ
１０９  ゴムリング
１２５  ブラケット
１３５  透明大歯車
１３７、１３８、１３９  小歯車
１４５  透明円盤
１４６  環状透明プラスチック大歯車
【図１】
0005562305.tif 000002
【図２】
0005562305.tif 000003
【図３】
0005562305.tif 000004
【図４】
0005562305.tif 000005
【図５】
0005562305.tif 000006
【図６】
0005562305.tif 000007
【図７】
0005562305.tif 000008
【図８】
0005562305.tif 000009